(57)【要約】【課題】要介護者の洗浄作業等を行う場合、湯水の供給と使用した廃湯の回収が容易に行えるよう、ポリタンクの交換、給排水ポンプと付属するホースと投込み電気ヒータの取付け取外し、軽量化、タンクの保温、ポンプ操作の改善。【解決手段】搬送台車１の上に湯沸し貯水用ポリタンク２及び、廃湯回収用ポリタンク３を載せ、搬送台車ベース上に取付けられた、伸縮可能な上下限にてロック出来またロック解除押釦１６があるスライド柱４の、ポリタンク上面位置となる所に取付けられた機械ユニットベース５上に、投込み電気ヒータ６、温水供給用自給式電動ポンプ８、廃湯回収用自給式電動ポンプ１１操作スイッチ箱１４が取付けられ機械ユニットベース５の上下により簡単にポリタンクと機器の切離しと保温が出来またフットスイッチコントローラ２６のポンプ制御で手作業を省き狭隘な洗浄場所の側近で容易に使えるようにした。【選択図】図１
2008284326.tif 000002
【特許請求の範囲】
【請求項１】
運搬可能または、固定したトレイ状のベースの上に湯沸し貯水用ポリタンクと、廃湯回収用ポリタンクとを並べ、両タンク間のベース上より上限および下限でロック出来る機能を持つ伸縮可能なスライド柱に固定した、両ポリタンク上の位置となる所にあるベース上に、温水供給用自給式電動ポンプ、廃湯回収用自給式電動ポンプ、湯沸し投込みヒータを取付けた、機械ユニットベースを上限および下限位置に移動することにより、機械ユニットとポリタンクの結合と切離し行ない、ポリタンクの交換を容易に行なえることを特徴とした温水供給廃湯回収装置。
【請求項２】
伸縮可能なスライド柱に取付けられた、機械ユニットベースの下面側に取付けられたパッキン入りの押え蓋を、ポリタンクの開口部分に嵌合させることにより、ポリタンクの固定と湯水の溢れを防止することを特徴とした、請求項１記載の温水供給廃湯回収装置。
【請求項３】
機械ユニットベースの下部に取付けられた、湯沸し用ポリタンクを囲む保温カバーにより、ポリタンクの着脱に支障なくポリタンクの保温を可能としたことを特徴とした、請求項１記載の温水供給廃湯回収装置。
【請求項４】
温水供給用自給式電動ポンプを、フットスイッチコントローラーによりポンプの開閉と流量の加減調整を行ない、洗浄等を行なう作業者の手作業に影響を与えない様にしたことを特徴とした、請求項１の温水供給廃湯回収装置。
【発明の詳細な説明】
【技術分野】
【０００１】本発明は一般家庭や狭隘な場所等で、洗浄作業などに使用する，貯水タンク内にて行なうヒータによる湯沸しと、ポンプによる給湯および、作業にて使用済みと成った廃湯のポンプによる廃湯タンク内えの回収を目的とした、機械装置に関するものである。
【背景技術】
【０００２】洗浄作業における温水供給と廃湯の回収には、湯沸し用ヒータ、温水供給ポンプ、廃湯回収ポンプ、湯沸し用ポリタンク、廃湯回収用ポリタンクの準備と、これら機器間の電気配線、給排水ホース類の接続など繁雑な準備を改善し、各機器を取りまとめて容易に移動できる様にすると共に、給水および廃湯投棄に使用するポリタンクを簡単に入れ替えができる構造として、作業者が使い易く、軽量コンパクトとした装置が必要であつた。【０００３】なお、本発明に関連する公知技術として次の特許文献を挙げることができる。【０００４】
【特許文献１】特開２００５−１４４０９４号広報
【特許文献２】実開平７−５６３３
【発明の開示】
【発明が解決しようとする課題】
【０００５】上述の如く各電動ポンプ、湯沸し投込みヒータなど各機器の準備や、ポリタンク内にヒータ及びホースの挿入などの準備は繁雑である。【０００６】また新規の水の補充や、使用済みの廃湯の投棄に伴うタンクの交換および、作業終了後の機器の整理や持ち運びが作業者の負担と成っている。【０００７】このため狭隘な場所での使用と、給水や廃湯の投棄を行なう所が離れている場合など、また一般家庭での使用には不向きな点が多い。【０００８】本発明は、このような点に鑑みて成されたものであり、その目的は、取り扱いが簡便で軽量に纏めてあり、誰でも簡単にセットが可能であると共に、容易に温水の準備と使用済み温水の廃棄が出来て、狭隘な場所での使用が可能なものであると共に、市販のポリタンクが使用できる、構造の簡単な安価な製品とすることにある。
【発明の効果】
【０００９】以上説明したように本発明によれば、湯沸し貯湯用ポリタンクと、廃湯回収用ポリタンクの交換と、湯沸し投込みヒータによるポリタンク内での湯沸し、温水供給用自給式電動ポンプによるシャワーノズル等えの温水供給と、廃湯回収用自給式電動ポンプにより、洗浄用の容器等からの廃湯回収を容易にする事ができる。【００１０】また、湯沸し貯湯用ポリタンク内への湯沸し投込みヒータの挿入、温水供給用自給式電動ポンプの吸込み口の挿入、および廃湯回収用ポリタンクに廃湯回収用自給式電動ポンプの排出口の挿入が簡単となり、ポリタンクの保温も容易となる。【００１１】また、フットスイッチコントローラにより温水供給用自給式電動ポンプの運転と停止および流量の調整を行なうことにより、作業者の手作業を損なう事が防止出来る。
【発明を実施するための最良の形態】
【００１２】以下本発明の形態を図面に基づき詳細に説明する。【００１３】図１は、各機器および部品をすべて装着して使用する状態にした、基本の形態を示した斜視図である。【００１４】図２は、機械ユニットベースを上部に持ち上げ、ロックした状態を示したポリタンクの交換が出来る場合の形態を示した斜視図である。【００１５】図３は、図２の正面より見た図である。【００１６】図４は、図２の状態においてポリタンクを取外した場合の正面より見た図で、水の補給や廃湯の投棄などによるポリタンクの交換をする場合の形態を示した。【００１７】図５、は本発明の実施の形態に係わり、使用例として、寝台上の介護者を本装置の使用により洗髪を行っている状態を想定した斜視図である。【００１８】図６、は本装置の代表的な電気回路図について示したものである。【００１９】図１に示すように、本装置は運搬台車１のトレイ状ベースの上に、湯沸し貯水用ポリタンク２および廃湯回収用ポリタンク３が積み降ろし可能に成っている。【００２０】台車に積載されたポリタンク２，３の上に運搬台車１のトレイ状ベースの上に取り付けられた、上下に伸縮が可能であると共に上限と下限の位置で、ロックすることが出来る構造を持つ伸縮スライド柱４に取り付けられた機械ユニットベース５がある。【００２１】伸縮スライド柱４の上限下限でのロック機構は、各々の位置でのロック解除をロック解除押釦１６により行なうことが出来る。【００２２】機械ユニットベース５の上には、温度調節機能を備えた湯沸し投込みヒータ６と、温水供給用自給式電動ポンプ８と、廃湯回収用自給式電動ポンプ１１と、それらを操作する操作スイッチ箱１４が取り付けられている。【００２３】スイッチ箱１４より、電気コードにより接続された別置きのフットスイッチコントローラ１５により、温水供給用自給式電動ポンプ８の運転停止と電流を可変することによるポンプの流量調節によって、作業者の両手を煩わせることなく洗浄作業が出来る。【００２４】次に、本装置の取り扱い操作について説明すると、図２の如く機械ユニットベース５はスライド柱４の上限の位置でロック固定すると、給湯ポンプ吸込み口１０、シーズヒータ部７、廃湯ポンプ排出口１３は、給湯ポリタンク口１７、廃湯ポリタンク口１８の上部にあって、両ポリタンク２，３は取り付け取り外しが可能となる。【００２５】始めに、湯沸し貯水用ポリタンク２には水を満たし、廃湯回収用ポリタンク３は空の状態とする、これは運搬台車１の上で行なうか、処理ずみの別のポリタンクと入れ替える方法としてもよい。【００２６】湯沸し貯水用ポリタンク２と、廃湯回収用ポリタンク３を運搬台車１のベース上にセットされたことを確認後、機械ユニット５を上部からロック外し押釦１６の操作によりはずし、ポリタンク２，３の上に降ろし下限でロック状態とすることにより、図１のように給湯ポリタンク口１７、に給湯ポリタンク蓋１９が、廃湯ポリタンク口１８に廃湯ポリタンク蓋２０がそれぞれ密着して、両ポリタンクの固定と湯水の溢れることを防止する。【００２７】以上の動作により、湯沸し貯水用ポリタンク２内部に、給湯ポンプ吸込み口１０とシーズヒータ部７が挿入され、同時に廃湯回収用ポリタンク内部には、廃湯ポンプ排出口１３が挿入され、湯沸し貯水用ポリタンクは保温カバー２１と断熱材２２により保温される。【００２８】以上により、準備が完了し、電源コンセント２５より電力を供給し、操作スイッチ箱１４のヒータ運転スイッチ３０をＯＮとして、ヒータを加熱し温水を作る、湯沸し投込みヒータ６は、設定温度内にて湯温をコントロールし温水が準備される。【００２９】湯沸し貯水用ポリタンク２の温水は、操作スイッチ箱１４のコントローラ２６または、フットスイッチコントローラ１５により、温水供給用自給式電動ポンプ８を運転と停止および流量を調節し、給湯ポンプ吸込み口１０から給湯ポンプ排出口９を経て、図５のようにホースを通じてシャワーノズル２３等に給湯され、洗浄作業等に使用される。【００３０】洗浄作業等に使用された温水は、廃湯受けバケット２４等から、廃湯ポンプ吸込み口１２から、廃湯ポンプ排出口１３を経由して廃湯回収用ポリタンクに貯留される。
【実施例】
【００３１】本装置に使用するポリタンクは、持ち運びできることを考慮し容量を１０リットルから３０リットルの範囲とし、自給式電動ポンプの流量は最大で毎分１０から２０リットルのものが良い、装置の大きさはポリタンクの寸法で決まるが、正面側から見たポリタンクの寸法の巾方向と高さを一定として、奥行き寸法のみを替える事による、容量の種類に対応したポリタンクを作ると共に、それに対応して装置の設計を行なえば、装置を標準化する事が可能である。
【産業上の利用可能性】
【００３２】本発明は何処にでも運ぶことが出来る温水の供給と、使用済み廃湯の回収が必要な洗浄作業等に使用することが可能であり、広い産業分野での利用が可能である。
【図面の簡単な説明】
【００３３】
【図１】本発明の装置の搬送および使用時の形態に係わる斜視図である。
【図２】本発明の装置の機械ユニットベースを上限に移動した時の形態に係わる斜視図である。
【図３】図２の正面より見た図である。
【図４】図３の形態においてポリタンクを取り外した時の正面より見た図である。
【図５】本発明の装置を使用して、寝台上の要介護者の洗髪を行っている状態を想定した斜視図である。
【図６】本発明の装置の代表的な電気回路の例について示した図である。
【符号の説明】
【００３４】１          運搬台車
２          湯沸し貯水用ポリタンク
３          廃湯回収用ポリタンク
４          伸縮スライド柱
５          機械ユニットベース
６          湯沸し投込みヒータ
７          シーズヒータ部
８          温水供給用自給式電動ポンプ
９          給湯ポンプ排出口
１０        給湯ポンプ吸込口
１１        廃湯回収用自給式電動ポンプ
１２        廃湯ポンプ吸込口
１３        廃湯ポンプ排出口
１４        操作スイッチ箱
１５        フットスイッチコントローラ
１６        ロック解除押釦
１７        給湯ポリタンク口
１８        廃湯ポリタンク口
１９        給湯ポリタンク蓋
２０        廃湯ポリタンク蓋
２１        保温カバー
２２        断熱材
２３        シャワーノズル
２４        廃湯受けバケット
２５        電源コンセント
２６        スイッチコントローラ
２７        フューズ
２８        手元、フット、切換スイッチ
２９        ポンプ運転スイッチ
３０        ヒータ運転スイッチ
３１        要介護者
【図１】
2008284326.tif 000003
【図２】
2008284326.tif 000004
【図３】
2008284326.tif 000005
【図４】
2008284326.tif 000006
【図５】
2008284326.tif 000007
【図６】
2008284326.tif 000008